(57)【要約】【課題】周波数多重された放送信号の品質の確認を高額な設備投資を行うことなく省スペースで実現することができるＣＡＴＶチューナ遠隔確認システムを提供する。【解決手段】本発明はＣＡＴＶ事業者により周波数多重された高周波の放送信号を出力するＣＡＴＶ端子４０と、その高周波信号を入力し放送信号を復調して映像をビデオ信号として出力することのできるＣＡＴＶチューナ３０と、ＣＡＴＶチューナ制御装置２０と、汎用ブラウザプログラムを搭載し表示部を備えた操作端末１０とで構成され、操作端末１０は、ネットワーク１を介してＣＡＴＶチューナ制御装置２０と接続を行い、操作端末１０の表示部により表示されたＣＡＴＶチューナ３０のビデオ出力映像を確認しながらリモート制御によりＣＡＴＶチューナ３０の選局を行い、映像の確認を行う。【選択図】図１
2006295904.tif 000002
【特許請求の範囲】
【請求項１】
ＣＡＴＶ事業者により周波数多重された高周波の放送信号を出力するＣＡＴＶ端子と、その高周波信号を入力し放送信号を復調して映像をビデオ信号として出力することのできるＣＡＴＶチューナと、ネットワークに接続され発光部、通信インタフェース、ビデオ入力部、処理部および記録部を備えたＣＡＴＶチューナ制御装置と、汎用ブラウザプログラムを搭載し、前記ネットワークに接続され、かつ表示部を備えた操作端末とで構成され、前記操作端末は、前記ネットワークを介して前記ＣＡＴＶチューナ制御装置と接続を行い、前記操作端末の前記表示部により表示された前記ＣＡＴＶチューナのビデオ出力映像を確認しながらリモート制御により前記ＣＡＴＶチューナの選局を行い、映像の確認を行うＣＡＴＶチューナ遠隔確認システム。
【請求項２】
前記ＣＡＴＶチューナ制御装置を構成する前記記録部は、ユーザデータベース、ＣＡＴＶチューナ選択画面情報およびＣＡＴＶチューナデータベースを格納し、前記処理部は、認証手段、ＣＡＴＶチューナ選択指示手段、操作コマンド選択指示手段、映像送信手段およびビデオ情報処理手段を有する請求項１記載のＣＡＴＶチューナ遠隔確認システム。
【発明の詳細な説明】
【技術分野】
【０００１】
本発明は、ネットワークを介して汎用チューナをリモート操作しチューナのビデオ出力映像を確認するＣＡＴＶ（Ｃｏｍｍｕｎｉｔｙ  Ａｎｔｅｎｎａ  ＴｅｌｅＶｉｓｉｏｎ）チューナ遠隔確認システムに関するものである。
【背景技術】
【０００２】
まず、図６により従来からあるＣＡＴＶチューナ１３０の構成を説明する。ＣＡＴＶ端子（図示せず）から送られた信号は高周波入力端子１３０ａに取り込まれる。高周波入力端子３０ａに取り込まれた信号は分岐器１３０ｂにより選局部（チューナ）１３０ｃとデータ信号復調部１３０ｄに分岐され、選局部１３０ｃの信号は映像信号復調部１３０ｅで復調され、デスクランブル部１３０ｆに伝送される。
【０００３】
一方、分岐出力はデータ信号復調部１３０ｄで復調されてデータ信号となり、制御部１３０ｇは選局部１３０ｃの選局の制御とデスクランブル回路１３０ｆの制御を行う。復調された信号は、ビデオ信号と音声信号に分離され、ビデオ信号はビデオ出力端子１３０ｈから出力される。映像音声変調部１３０ｉで特定のチャンネルに再変調され、高周波信号出力端子１３０ｊから出力されるようになっている。
【０００４】
リモコン送信機１３０ｋは、テンキー群またはチャンネルＵＰキー、ＤＯＷＮキー等の操作ボタンを押下することによりチャンネル変更信号を光信号により受光部１３０ｌに対して出力する。受光部１３０ｌにおいては、前記光信号が電気信号に変換され、制御部１３０ｇに入力される。
【０００５】
制御部１３０ｇは、受光部１３０ｌによって変換された電気信号のデータに基づいて、選局部１３０ｃへチャンネル選局データを出力する。そして、選局部１３０ｃは、このチャンネル選局データにより選局され、ビデオ出力端子１３０ｈから出力されるビデオ信号は選局されたチャンネルの信号に変更される。
【０００６】
次に、図７により映像配信装置１６０の説明を行う。映像配信装置１６０は、ビデオケーブル等により対象機器と接続され、対照機器のビデオ出力信号を入力するビデオ信号入力部１６１と入力されたビデオ信号を離散化するＡ／Ｄ変換処理手段１６２ａ、ビデオ情報処理によりを行いアナログビデオ信号の動画情報を生成するビデオ情報処理手段１６２ｂを行う処理部１６２と、これらの処理を行うための各種プログラムを格納した記録部１６３とＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信を行うための通信インタフェース１６４を備える。
【０００７】
操作者は、操作端末１１０によりネットワーク１０１を介して映像配信装置１６０と接続を行い対象機器のビデオ出力映像を操作端末１１０の表示部で確認する。
【０００８】
ＣＡＴＶ事業者は、加入者へＣＡＴＶサービスを提供するために、受信点、ヘッドエンド、伝送路を提供している。受信点は、放送事業会社から送信されるＣＳ放送、ＢＳ放送、地上放送をアンテナ設備により受信する。これら異なる変調方式の信号を受信したヘッドエンドは、個別に復調しＣＡＴＶチューナにて受信復調できる高周波信号へ変調し周波数多重して光ファイバまたは、同軸ケーブルにより伝送路に出力される。
【０００９】
伝送路は、伝送路機器とケーブルにより構成され、またサービスエリアが広域の場合は、中継局であるサブヘッドエンドを伝送路に設置している。また、ＣＡＴＶ事業者は、任意の放送に課金を行うためにスクランブル処理を行い、視聴を制限している。
【００１０】
加入者は、この制限された放送を視聴するためにＣＡＴＶ事業社に視聴の意思表示を行いＣＡＴＶ事業者は、加入者の所有しているＣＡＴＶチューナに視聴解除の信号を送信することにより視聴制限は解除される。
【００１１】
また、ヘッドエンドやサブセンターの、周波数多重された高周波信号の映像品質を遠隔にて監視するには、視聴制御を解除したＣＡＴＶチューナのビデオ出力信号を映像配信装置のビデオ信号入力部へビデオケーブル等により接続を行い、ビデオ情報処理によりビデオ信号の映像の情報を接続要求のあった汎用端末に映像を送信し端末の表示部に表示させていた。また、このＣＡＴＶチューナと映像送信装置のセットは、確認する放送の番組数分の台数が必要となる。
【特許文献１】特開平２−１５２３４９号公報
【発明の開示】
【発明が解決しようとする課題】
【００１２】
しかしながら、このような従来のシステムでは、周波数多重された高周波の放送信号の映像品質確認を遠隔にて行うには、視聴制御を解除した複数のＣＡＴＶチューナと複数の映像配信装置のセットが必要であり、これにより多額の設備投資と複数のＣＡＴＶチューナと複数の映像配信装置の設置スペースが必要となる。
【００１３】
近年、ケーブルテレビ事業においては、ＣＡＴＶ事業会社の提供するケーブルテレビの加入者数が飽和状態となりつつある。また、インターネットを介してユーザの要求ごとに映像を配信するＶＯＤ（Ｖｉｄｅｏ  Ｏｎ  Ｄｅｍａｎｄ）技術を用いたサービスの登場によりケーブルテレビ業界の価格競争が激化している。
【００１４】
そこで、多くのＣＡＴＶ事業者は、ＣＡＴＶ設備に技術員が待機または、サービスエリア内にてＣＡＴＶチューナとＴＶを用いて目視にて映像を監視する監視センターなどを設置している。そして、このような体制をサービスエリア外の外部業者へ委託することは、多額の設備投資と設置スペースが必要であり事業を進める上で大きな課題となっている。
【００１５】
本発明は、上記課題を解決するものであり、周波数多重された放送信号の品質の確認を高額な設備投資を行うことなく省スペースで実現することができるＣＡＴＶチューナ遠隔確認システムを提供するものである。
【課題を解決するための手段】
【００１６】
上記課題を解決するために、本発明はＣＡＴＶ事業者により周波数多重された高周波の放送信号を出力するＣＡＴＶ端子と、その高周波信号を入力し放送信号を復調して映像をビデオ信号として出力することのできるＣＡＴＶチューナと、ネットワークに接続され発光部、通信インタフェース、ビデオ入力部、処理部および記録部を備えたＣＡＴＶチューナ制御装置と、汎用ブラウザプログラムを搭載し、前記ネットワークに接続され、かつ表示部を備えた操作端末とで構成され、前記操作端末は、前記ネットワークを介して前記ＣＡＴＶチューナ制御装置と接続を行い、前記操作端末の前記表示部により表示された前記ＣＡＴＶチューナのビデオ出力映像を確認しながらリモート制御により前記ＣＡＴＶチューナの選局を行い、映像の確認を行うものである。
【発明の効果】
【００１７】
上記構成により、本発明によれば、ヘッドエンドや、サブヘッドエンド等のＣＡＴＶ局舎からの伝送路への送出信号を局舎内で分岐してＣＡＴＶチューナとＣＡＴＶチューナ制御装置を設置しネットワークに接続することにより周波数多重された放送信号の品質の確認を高額な設備投資を行うことなく省スペースで実現することができる。
【発明を実施するための最良の形態】
【００１８】
本発明は、ＣＡＴＶ事業者により周波数多重された高周波の放送信号を出力するＣＡＴＶ端子と、その高周波信号を入力し放送信号を復調して映像をビデオ信号として出力することのできるＣＡＴＶチューナと、ネットワークに接続され発光部、通信インタフェース、ビデオ入力部、処理部および記録部を備えたＣＡＴＶチューナ制御装置と、汎用ブラウザプログラムを搭載し、前記ネットワークに接続され、かつ表示部を備えた操作端末とで構成され、前記操作端末は、前記ネットワークを介して前記ＣＡＴＶチューナ制御装置と接続を行い、前記操作端末の前記表示部により表示された前記ＣＡＴＶチューナのビデオ出力映像を確認しながらリモート制御により前記ＣＡＴＶチューナの選局を行い、映像の確認を行うものである。
【００１９】
この構成により、ヘッドエンドや、サブヘッドエンド等のＣＡＴＶ局舎からの伝送路への送出信号を局舎内で分岐してＣＡＴＶチューナとＣＡＴＶチューナ制御装置を設置しネットワークに接続することにより周波数多重された放送信号の品質の確認を高額な設備投資を行うことなく省スペースで実現することができる。
【００２０】
さらに、このシステムによれば、ＣＡＴＶ局舎の無人化を推進することができ例えばＣＡＴＶ加入者からの画質劣化等のクレームがあった場合、障害発生箇所が伝送路かヘッドエンドかのいずれかの障害箇所の切り分けを、ネットワークを介して行うことができ、障害復旧時間の短縮を行うことができる。
【００２１】
そのため、このシステムを用いることにより、ＣＡＴＶ事業者はサービスエリア外の業者へこれらの保守業務を委託することが容易になる。
【００２２】
また、本発明におけるＣＡＴＶチューナ制御装置を構成する記録部は、ユーザデータベース、ＣＡＴＶチューナ選択画面情報およびＣＡＴＶチューナデータベースを格納し、処理部は、認証手段、ＣＡＴＶチューナ選択指示手段、操作コマンド選択指示手段、映像送信手段およびビデオ情報処理手段を有するものである。
【実施例】
【００２３】
以下、図１および図２に示すように本発明の一実施例におけるＣＡＴＶチューナ遠隔確認システムは、ＣＡＴＶ事業者により周波数多重された高周波の放送信号を出力するＣＡＴＶ端子４０と、その高周波信号を入力し放送信号を復調して映像をビデオ信号として出力することのできるＣＡＴＶチューナ３０と、ネットワーク１に接続され発光部２１、通信インタフェース２３、ビデオ入力部２２、処理部２５および記録部２４を備えたＣＡＴＶチューナ制御装置２０と、汎用ブラウザプログラムを搭載し、前記ネットワーク１に接続され、かつ表示部を備えた操作端末１０を有している。
【００２４】
汎用ブラウザプログラムは、ソフトウェアで提供されるプラグイン等を組み込ませることにより、汎用ブラウザプログラム内において動画再生ソフト等のアプリケーションを起動させ、映像の表示が可能となる。
【００２５】
ネットワーク１は、操作端末１０とＣＡＴＶチューナ制御装置２０との通信経路であり、そのプロトコルはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠するものでありＬＡＮまたはインターネットのどちらでもよい。
【００２６】
操作端末１０は、汎用ブラウザプログラムを格納し有線または無線によりネットワークに接続された汎用ＰＣまたは、携帯端末であればよい。
【００２７】
ＣＡＴＶチューナ３０は、ＣＡＴＶ端子に接続され周波数多重された複数の高周波の放送信号を入力し、付属のリモコン送信機の選択操作により送信された光信号を、受光部により受信してリモコン送信器の操作に対応した制御を行い、高周波信号を復調し視聴制限を解除することができ、映像をビデオ信号として出力できるものであれば、デジタルセットトップボックス（デジタルＳＴＢ）、ホームターミナルのいずれでもよい。
【００２８】
また、視聴制限を行っていない高周波信号を遠隔確認する場合は、付属のリモコン送信機の選択操作により送信された光信号を、受光部により受信してリモコン送信器の操作に対応した選局を行い、選局された放送の映像をビデオ信号として出力できるリモコン送信機付属する汎用チューナでよい。
【００２９】
ＣＡＴＶ端子４０は、ＣＡＴＶ事業者より周波数多重された複数の高周波の放送信号を伝送するラインと接続された端子である。ＣＡＴＶチューナは、同軸ケーブルによりＣＡＴＶ端子４０と接続することによりＣＡＴＶ事業者の供給する高周波の放送信号を入力する。
【００３０】
次に図２を用いてＣＡＴＶチューナ制御装置２０の構成をさらに説明する。ＣＡＴＶチューナ制御装置２０は、発光部２１と、ビデオ信号入力部２２と、通信インタフェース２３と、ユーザデータベース２４ａ、ＣＡＴＶチューナ選択画面情報２４ｂおよびＣＡＴＶチューナデータベース２４ｃを格納する記録部２４と、認証手段２５ａ、ＣＡＴＶチューナ選択指示手段２５ｂ、操作コマンド選択指示手段２５ｃ、映像送信手段２５ｄおよびビデオ信号処理手段２５ｅを有する処理部２５とで構成される。
【００３１】
発光部２１は、ＣＡＴＶチューナ制御装置２０と分離されリード線によりＣＡＴＶチューナ制御装置２０と接続される。処理部２５により送信された電気信号である制御コードを光信号に変換してＣＡＴＶチューナ２０に送信する。また、発光部２１は、ＣＡＴＶチューナ３０の受光部３０ｉに直接または、受信可能な位置に両面テープまたは、マジックテープ（登録商標）により固定する。
【００３２】
ビデオ信号入力部２２は、ビデオケーブル等によりＣＡＴＶチューナ３０のビデオ出力部３０ｈと接続され、ビデオ信号を入力する。通信インタフェース２３はＴＣＰ／ＩＰに準拠する。
【００３３】
ユーザデータベース２４ａには、このリモート操作補助装置にアクセスする権限を有するものに対してあらかじめ付与されたユーザＩＤとパスワードが登録されている。
【００３４】
認証手段２５ａは、操作端末１０に対する認証処理を行うためのものであり、汎用ブラウザプログラム上のＵＲＬ指定により接続要求のあった操作端末１０にユーザＩＤ及びパスワードの入力を指示し、操作端末１０から送られてきたユーザＩＤとパスワードがユーザデータベース２４ａの内容と一致しているか否かを判定する。
【００３５】
ＣＡＴＶチューナデータベース２４ｃは、あらかじめＣＡＴＶチューナの型式に応じた操作コマンドボタン情報と操作コマンドボタンに対応した制御コードを型式ごとに格納し複数の異なる型式のＣＡＴＶチューナの制御に対応する。
【００３６】
ＣＡＴＶチューナ選択指示手段２５ｂは、ＣＡＴＶチューナデータベース２４ｃにあらかじめ登録しているＣＡＴＶチューナの型式を選択させる。
【００３７】
ＣＡＴＶチューナ選択画面情報２４ｂは、操作端末１０に表示部にＣＡＴＶチューナデータベース２４ｃにあらかじめ登録しているＣＡＴＶチューナの型式を選択させる画面の情報である。
【００３８】
映像送信手段２５ｄは、認証手段２５ａにより認証された操作端末１０へビデオ情報処理された映像情報を通信インタフェース２３とネットワーク１を介して送信し操作端末１０の表示部にＣＡＴＶチューナ３０より出力されたビデオ信号の映像を表示させる。
【００３９】
操作コマンド選択指示手段２５ｃは、ＣＡＴＶチューナ選択指示手段２５ｂにより操作端末１０によって選択されたＣＡＴＶチューナ３０の型式に応じてＣＡＴＶチューナデータベース２４ｃに格納されている操作コマンドボタン情報を操作端末１０に送信して操作端末１０の表示部に操作コマンドボタンを表示させそのいずれかの選択が可能となる。
【００４０】
ビデオ信号処理手段２５ｅは、ビデオ信号入力部３２より入力されたビデオ信号を離散化してビデオ情報処理を行いアナログビデオ信号の映像情報を生成する。
【００４１】
次にこのシステムの測定システム動作について図３を参照して説明する。
【００４２】
操作端末１０は汎用ブラウザプログラムの起動を行いブラウザプログラム上のＵＲＬを指定することによりネットワークを介してＣＡＴＶチューナ制御装置２０へアクセスを行う（ステップ７１）。
【００４３】
ＣＡＴＶチューナ制御装置２０は、アクセス元の操作端末１０に対してユーザＩＤパスワードを入力させるための認証画面の情報を送信する（ステップ７２）。
【００４４】
この認証画面が表示された操作端末１０の操作によりＩＤとパスワードが入力される（ステップ７３、ステップ７４）とＣＡＴＶチューナ制御装置２０は、入力されたＩＤとパスワードがユーザデータベース２４ｃに登録されているか否かを調べ（ステップ７５）、登録されていれば、ＣＡＴＶチューナの型式を選択させるためのＣＡＴＶチューナ選択画面情報２４ｂを操作端末１０へ送信する（ステップ７６）。
【００４５】
操作端末１０の表示部には、ＣＡＴＶチューナ選択画面が表示され（ステップ７７）、操作端末１０の操作選択により選択された型式の情報がＣＡＴＶチューナ制御装置２０へ送信される（ステップ７８）。
【００４６】
この情報を受信したＣＡＴＶチューナ制御装置２０は、選択された型式に応じてＣＡＴＶチューナデータベース２４ｃに格納されている操作コマンド情報を操作端末１０へ送信し表示部に表示させる（ステップ８３、ステップ８４）。
【００４７】
ＣＡＴＶチューナ３０により出力されたビデオ信号（ステップ８０）をビデオ信号入力部２２により入力し、ビデオ信号を離散化してビデオ情報処理を行いアナログビデオ信号の映像情報を生成し（ステップ８１）、操作端末１０へビデオ出力の映像情報を操作端末１０へ送信する（ステップ８３）。
【００４８】
この映像配信手段は、周知のストリーミング手段や、Ｍｏｔｉｏｎ  ＪＰＥＧ等による映像配信手段でよい。
【００４９】
さらに、映像配信時に、音声信号を同時配信すれば、映像と音声の両方にて確認することが可能となる。
【００５０】
ステップ８２、ステップ８３により送信された操作コマンドボタン情報とビデオ出力の映像情報により、例えば図４に示すような操作コマンドボタン５１とＣＡＴＶチューナビデオ出力表示部５２とからなるＣＡＴＶチューナ操作確認画面５０が表示される（ステップ８４、ステップ８５）。
【００５１】
ＣＡＴＶチューナビデオ出力表示部５２は、ＣＡＴＶチューナ３０のビデオ出力映像を表示される。また、操作コマンドボタン５１は、ＣＡＴＶチューナ３０に付属のリモコン送信機３０ｋのテンキー群またはチャンネルＵＰキー、ＤＯＷＮキー等の操作ボタンを操作コマンドボタンにより再現し、操作端末１０の表示画面に表示させる。操作端末１０は操作コマンドボタン情報を操作により選択することによりＣＡＴＶチューナ制御装置２０に対して操作コマンドの情報が送信される（ステップ８６）。
【００５２】
ステップ８６により選択された操作コマンドを受信した、ＣＡＴＶチューナ制御装置２０は、ＣＡＴＶチューナデータベース２４ｃに格納された、（ステップ７８）により選択された型式に対応した制御コードを光信号としてＣＡＴＶチューナ３０へ送信する（ステップ８７、ステップ８８）。
【００５３】
ＣＡＴＶチューナ３０は、受光部３０ｌにより制御コードを受信し制御コードに対応した制御を行う（ステップ８９、ステップ９０）。
【００５４】
この構成により、ヘッドエンドや、サブヘッドエンド等のＣＡＴＶ局舎からの伝送路への送出信号を局舎内で分岐してＣＡＴＶチューナ３０とＣＡＴＶチューナ制御装置２０を設置しネットワーク１に接続することにより周波数多重された放送信号の品質の確認を高額な設備投資を行うことなく省スペースで実現することができる。
【産業上の利用可能性】
【００５５】
本発明は、ＣＡＴＶ事業におけるコストダウン、サービス向上を実現するシステムとして用いることができる。
【図面の簡単な説明】
【００５６】
【図１】本発明の一実施例におけるＣＡＴＶチューナ遠隔確認システムの構成図
【図２】同要部構成図
【図３】同動作説明図
【図４】同操作端末の表示部の正面図
【図５】従来のＣＡＴＶチューナの構成図
【図６】従来の映像配信装置の構成図
【符号の説明】
【００５７】
１    ネットワーク
１０    操作端末
２０    ＣＡＴＶチューナ制御装置
２１    発光部
２２    ビデオ入力部
２３    通信インタフェース
２４    記録部
２４ａ    ユーザデータベース
２４ｂ    ＣＡＴＶチューナ選択画面情報
２４ｃ    ＣＡＴＶチューナデータベース
２５    処理部
２５ａ    認証手段
２５ｂ    ＣＡＴＶチューナ選択指示手段
２５ｃ    操作コマンド選択指示手段
２５ｄ    映像送信手段
２５ｅ    ビデオ信号処理手段
３０    ＣＡＴＶチューナ
４０    ＣＡＴＶ端子
【図１】
2006295904.tif 000003
【図２】
2006295904.tif 000004
【図３】
2006295904.tif 000005
【図４】
2006295904.tif 000006
【図５】
2006295904.tif 000007
【図６】
2006295904.tif 000008